(57)【要約】【課題】本発明は、移動通信システムにおけるアップリンク送信電力状態を報告する装置及び方法提供する。【解決手段】移動通信システムにおいて、アドバンスト移動端末(ＡＭＳ)がアップリンク干渉及び雑音レベルと、ターゲット信号対干渉雑音比と、オフセットとを受信し、ＵＬ送信電力状態報告に必要なパラメータを受信し、上記オフセットをアップデートし、このアップデートされたオフセットを示す情報を含むＵＬ送信電力状態報告ヘッダーをアドバンスト基地局(ＡＢＳ)に送信する。【選択図】図２
2012023729.tif 000002
【特許請求の範囲】
【請求項１】
移動通信システムにおけるアドバンスト移動端末(ＡＭＳ)のアップリンク(ＵＬ)送信電力状態報告方法であって、
ＵＬ送信電力制御パラメータがアップデートされたか否かを示すＵＬ送信電力制御パラメータアップデーティングインジケータと、
ＡＭＳによって測定されたダウンリンク(ＤＬ)経路損失とアドバンスト基地局(ＡＢＳ)によって測定されたＵＬ干渉及び雑音レベルとの和と、
前記ＡＭＳによって測定されたＤＬ信号対干渉比と
を含むＵＬ送信電力状態報告ヘッダーを前記ＡＢＳに送信するステップを具備することを特徴とする方法。
【請求項２】
前記ＵＬ送信電力制御パラメータアップデーティングインジケータがＵＬ送信電力制御パラメータの変更を示す場合、前記ＵＬ送信電力状態報告ヘッダーは、前記ＡＭＳが最後に受信したアドバンストエアインターフェースシステム構成ディスクリプタ(ＡＡＩ_ＳＣＤ)メッセージに含まれている構成変更カウントと同一の値をさらに含むことを特徴とする請求項１に記載の方法。
【請求項３】
前記ＵＬ送信電力状態報告ヘッダーは、フロー識別子(ＦＩＤ)フィールド、タイプフィールド、及び長さフィールドをさらに含み、
前記ＦＩＤフィールドは、前記ＵＬ送信電力状態報告ヘッダーが媒体接続制御(ＭＡＣ)シグナリングヘッダーであることを示す値に設定され、
前記タイプフィールドは、前記ＭＡＣシグナリングヘッダーのタイプがＵＬ送信電力状態報告ヘッダーであることを示す値に設定され、
前記長さフィールドは前記ＵＬ送信電力状態報告ヘッダーの長さを示すことを特徴とする請求項１に記載の方法。
【請求項４】
前記ＵＬ送信電力制御パラメータはＡＡＩ_ＳＣＤメッセージに含まれることを特徴とする請求項１に記載の方法。
【請求項５】
移動通信システムにおけるアドバンスト基地局(ＡＢＳ）によってＵＬ送信電力状態に関する報告を受信する方法であって、  
ＵＬ送信電力制御パラメータがアップデートされたか否かを示すＵＬ送信電力制御パラメータアップデーティングインジケータと、
ＡＭＳによって測定されたダウンリンク(ＤＬ)経路損失とＡＢＳによって測定されたアップリンク(ＵＬ)干渉及び雑音レベルとの和と、
前記ＡＭＳによって測定されたＤＬ信号対干渉比と
を含むＵＬ送信電力状態報告ヘッダーをアドバンスト移動端末(ＡＭＳ)から受信するステップを具備することを特徴とする方法。
【請求項６】
前記ＵＬ送信電力制御パラメータアップデーティングインジケータが前記ＵＬ送信電力制御パラメータの変更を示す場合、前記ＵＬ送信電力状態報告ヘッダーは、前記ＡＭＳが最後に受信したアドバンストエアインターフェースシステム構成ディスクリプタ(ＡＡＩ_ＳＣＤ)メッセージに含まれている構成変更カウントと同一の値をさらに含むことを特徴とする請求項５に記載の方法。
【請求項７】
前記ＵＬ送信電力状態報告ヘッダーはフロー識別子(ＦＩＤ)フィールド、タイプフィールド、及び長さフィールドをさらに含み、
前記ＦＩＤフィールドは、前記ＵＬ送信電力状態報告ヘッダーが媒体接続制御(ＭＡＣ)シグナリングヘッダーであることを示す値に設定され、
前記タイプフィールドは、前記ＭＡＣシグナリングヘッダーのタイプがＵＬ送信電力状態報告ヘッダーであることを示す値に設定され、
前記長さフィールドは前記ＵＬ送信電力状態報告ヘッダーの長さを示すことを特徴とする請求項５に記載の方法。
【請求項８】
前記ＵＬ送信電力制御パラメータはＡＡＩ_ＳＣＤメッセージに含まれることを特徴とする請求項５に記載の方法。
【請求項９】
請求項１乃至４のうちいずれか一つの方法を遂行することを特徴とするアドバンスト移動端末(ＡＭＳ)。
【請求項１０】
請求項５乃至８のうちいずれか一つの方法を遂行することを特徴とするアドバンスト基地局(ＡＢＳ)。
【発明の詳細な説明】
【技術分野】
【０００１】
本発明は、移動通信システムにおけるアップリンク送信電力状態を報告する装置及び方法に関するものである。特に、本発明は、移動通信システムにおいてアップリンク送信電力状態を報告することによって、移動端末(Mobile Station：ＭＳ)が電力制御をトリガ(trigger)するように許容する装置及び方法に関する。
【背景技術】
【０００２】
移動通信システムでは、システム容量を増大させ、サービス品質(ＱｏＳ)を向上させるためにダウンリンク(ＤＬ)及びアップリンク(ＵＬ)送信電力制御方式を使用する。アップリンク送信電力制御方式の効率性を増加させるために、移動通信システムは、ＭＳが現在のそのＵＬ送信電力状態を基地局(Base Station：ＢＳ)に報告するＵＬ送信電力状態報告方式を使用している。
【０００３】
しかしながら、現在移動通信システムで使用されているＵＬ送信電力状態報告方式は、ＭＳ自体によってＵＬ送信電力が調整可能である場合に対して考慮していない。すなわち、現在のＵＬ送信電力状態報告方式において、ＭＳは、ＢＳによって定義されるトリガ条件を満たす場合にはＵＬ送信電力状態を報告することができる。この方式は、ＭＳがＵＬ送信電力を調整しない場合のみに有効であり、ＭＳがそのＵＬ送信電力を直接調整する可能性に対して考慮していない。
【０００４】
したがって、ＭＳが色々な理由でＵＬ送信電力を自身で調整する必要があっても、ＭＳは、そのＵＬ送信電力状態の変更をＢＳに報告できないため、ＵＬ送信電力を調整することが難しくなる。ＭＳが直接ＵＬ送信電力を調整することが可能であってもＭＳのＵＬ送信電力状態の変更をＢＳに報告できないため、ＢＳは、ＭＳのＵＬ送信電力状態の変更を認識する方法が全くない。この場合、ＢＳは、ＭＳのＵＬ送信電力を正確に制御できなくなる。
【０００５】
ＭＳが必要に応じてＵＬ送信電力を調整せず、あるいはそのＵＬ送信電力状態の変更をＢＳに報告しない場合には、ＵＬ送信電力を正確に制御できなく、それによって移動通信システムの全体性能の低下をもたらす。また、ＢＳがＭＳのＵＬ送信電力状態を正確に認識できない場合、スケジューリングは正常に遂行されないという問題があった。
【先行技術文献】
【特許文献】
【０００６】
【特許文献１】米国特許出願公開第２００７／０１４９２３８号明細書
【特許文献２】米国特許出願公開第２００９／０３２５６２７号明細書
【特許文献３】米国特許出願公開第２０１１／０１４１９２６号明細書
【発明の概要】
【発明が解決しようとする課題】
【０００７】
したがって、上記した従来技術の問題点を解決するために、本発明の目的は、移動通信システムにおけるＵＬ送信電力状態を報告する装置及び方法を提供することにある。
【０００８】
また、本発明の目的は、移動通信システムにおけるＭＳのトリガリングによってＵＬ送信電力状態を報告できる装置及び方法を提供することにある。
【課題を解決するための手段】
【０００９】
上記のような目的を達成するために、本発明の一態様によれば、移動通信システムにおけるアドバンスト移動端末(Advanced Mobile Station：ＡＭＳ)であって、ＵＬ送信電力制御パラメータがアップデートされたか否かを示すＵＬ送信電力制御パラメータアップデーティングインジケータと、ＡＭＳによって測定されたダウンリンク(ＤＬ)経路損失とアドバンスト基地局(Advanced Base Station：ＡＢＳ)によって測定されたＵＬ干渉及び雑音レベルとの和と、ＡＭＳによって測定されたＤＬ信号対干渉比とを含むＵＬ送信電力状態報告ヘッダーをＡＢＳに送信する送信器を含む。
【００１０】
本発明の他の態様によれば、移動通信システムにおけるアドバンスト基地局(ＡＢＳ）であって、アドバンスト移動端末(Advanced Mobile Station：ＡＭＳ)から、ＵＬ送信電力制御パラメータがアップデートされたか否かを示すＵＬ送信電力制御パラメータアップデーティングインジケータと、ＡＭＳによって測定されたダウンリンク(ＤＬ)経路損失とＡＢＳによって測定されたアップリンク(ＵＬ)干渉及び雑音レベルとの和と、ＡＭＳによって測定されたＤＬ信号対干渉比とを含むＵＬ送信電力状態報告ヘッダーを受信する受信器を含む。
【００１１】
また、本発明の他の態様によれば、移動通信システムにおけるアドバンスト移動端末(ＡＭＳ)のアップリンク(ＵＬ)送信電力状態報告方法であって、ＵＬ送信電力制御パラメータがアップデートされたか否かを示すＵＬ送信電力制御パラメータアップデーティングインジケータと、ＡＭＳによって測定されたダウンリンク(ＤＬ)経路損失とアドバンスト基地局(ＡＢＳ)によって測定されたＵＬ干渉及び雑音レベルとの和と、ＡＭＳによって測定されたＤＬ信号対干渉比とを含むＵＬ送信電力状態報告ヘッダーをＡＢＳに送信するステップを具備する。
【００１２】
さらに、本発明の他の態様によれば、移動通信システムにおけるアドバンスト基地局(ＡＢＳ）によってＵＬ送信電力状態に対する報告を受信する方法であって、アドバンスト移動端末(ＡＭＳ)から、ＵＬ送信電力制御パラメータがアップデートされたか否かを示すＵＬ送信電力制御パラメータアップデーティングインジケータと、ＡＭＳによって測定されたダウンリンク(ＤＬ)経路損失とＡＢＳによって測定されたアップリンク(ＵＬ)干渉及び雑音レベルとの和と、ＡＭＳによって測定されたＤＬ信号対干渉比とを含むＵＬ送信電力状態報告ヘッダーを受信するステップを具備する 。
【発明の効果】
【００１３】
本発明は、移動通信システムにおいてＭＳがトリガリングしてＵＬ送信電力状態を報告することを可能にすることによって、ＭＳがＵＬ送信電力を調整し、その調整内容に基づいてＵＬ送信電力状態を報告することを可能にする。
【００１４】
また、本発明は、ＭＳがトリガリングしてそのＵＬ送信電力状態を報告して電力制御を可能にすることによって、ＢＳがＭＳのＵＬ送信電力状態を正確に認識するようになり、その結果、移動通信システムのＵＬ送信電力制御性能を向上させて正確なスケジューリングを可能にする。
【図面の簡単な説明】
【００１５】
【図１】本発明の実施形態によるＩＥＥＥ８０２.１６ｍ通信システムにおいてＡＢＳがＵＬ送信電力状態の報告を受信するプロセスを示すフローチャートである。
【図２】本発明の実施形態によるＩＥＥＥ８０２.１６ｍ通信システムにおいてＡＭＳがＵＬ送信電力状態を報告するプロセスを示すフローチャートである。
【図３】本発明の実施形態によるＩＥＥＥ８０２.１６ｍ通信システムにおけるＡＢＳの内部構成を示す図である。
【図４】本発明の実施形態によるＩＥＥＥ８０２.１６ｍ通信システムにおけるＡＭＳの内部構成を示す図である。
【発明を実施するための形態】
【００１６】
以下、本発明の望ましい実施形態を添付の図面を参照して詳細に説明する。
【００１７】
本発明の範囲及び精神を逸脱することなく、以下に説明される本発明の様々な変形及び変更が可能であることは、当該技術分野における通常の知識を持つ者には明らかである。なお、公知の機能または構成に関する具体的な説明は、明瞭性と簡潔性のために省略する。
【００１８】
本発明の実施形態は、移動通信システムにおけるアップリンク(ＵＬ)送信電力状態を報告する装置及び方法を提供する。また、本発明の実施形態は、移動通信システムにおいて移動端末(ＭＳ)がトリガリングして基地局(ＢＳ)にＵＬ送信電力状態を報告する装置及び方法を提供する。
【００１９】
本発明において、移動通信システムは、一例として直交周波数分割多重接続(Orthogonal Frequency Division Multiplexing Access：以下、“ＯＦＤＭＡ”と称する)方式に基づいたＩＥＥＥ(Institute of Electrical and Electronics Engineers)８０２.１６ｍ通信システムであると仮定する。本発明で提案するＵＬ送信電力状態報告装置及び方法は、ＩＥＥＥ８０２.１６ｍ通信システムだけでなく他の移動通信システムにも使用できることはもちろんである。
【００２０】
本発明の一実施形態によるＵＬ送信電力状態報告装置及び方法は、ＭＳが直接ＵＬ送信電力を調整できる移動通信システムに有用に使用することができる。説明の便宜上、ＭＳは、アドバンスト移動端末(Advanced Mobile Station：ＡＭＳ)と称し、ＢＳはアドバンスト基地局(Advanced Base Station：ＡＢＳ)と称する。
【００２１】
現在ＩＥＥＥ８０２.１６ｍ通信システムで使用されるＵＬ送信電力制御方式は、下記の＜数式１＞のように定義される。
P[dBm]＝L＋SINRTarget＋NI＋Offset              ＜数式１＞
【００２２】
ここで、ＰはＵＬ送信電力を、ＬはＡＭＳによって測定されたＤＬ経路損失を、ＳＩＮＲＴａｒｇｅｔはＡＢＳが受信する受信信号のターゲット信号対干渉雑音比(Signal to Interference and Noise Ratio：ＳＩＮＲ)を、ＮＩはＡＢＳによって測定されたＵＬ雑音及び干渉レベルを、Ｏｆｆｓｅｔは電力補償値を、それぞれ表す。上記ＮＩは、ＡＢＳによってブロードキャスティングされる。
【００２３】
また、ＳＩＮＲＴａｒｇｅｔは、ＡＭＳによって送信される信号がデータ信号であるか、あるいは制御信号であるかによって異なるように決定される。ＡＢＳは、各制御信号に対するＳＩＮＲＴａｒｇｅｔを決定し、この決定されたＳＩＮＲＴａｒｇｅｔをブロードキャストする。また、ＡＢＳは、データ信号に対するＳＩＮＲＴａｒｇｅｔを下記の＜数式２＞に従って決定して該当ＡＭＳに送信する。
【００２４】
【数１】
2012023729.tif 000003
【００２５】
ここで、ＳＩＮＲＭＩＮはＡＢＳが設定及びブロードキャストする、ＡＭＳの最小伝送率に対応するＳＩＮＲを表し、γＩｏＴはアップリンクに対するＩｏＴ(Interference over Thermal noise)の調整に使用される調整要素(factor)を表し、ＳＩＲＤＬはＡＭＳによって測定されたＤＬ信号対干渉比(ＳＩＲ)を表し、αはＡＢＳによって使用されるアンテナの個数を考慮した調整要素を表し、βはＡＭＳによって送信されるデータ信号がＡＢＳが受信する場合にマルチストリームである場合、電力標準化(normalize)を決定するための調整要素を表し、ＴＮＳ(Total Number of Stream)は全体ストリーム個数を表す。ＩＥＥＥ８０２.１６ｍ通信システムで使用する多重入力多重出力(ＭＩＭＯ)方式が単一ユーザーＭＩＭＯ(ＳＵ-ＭＩＭＯ)方式である場合、ＴＮＳは、該当ＡＭＳの全体ストリーム個数を表す。ＩＥＥＥ８０２.１６ｍ通信システムで使用するＭＩＭＯ方式が多重ユーザーＭＩＭＯ(ＭＵ-ＭＩＭＯ)方式である場合、ＴＮＳは、ＡＭＳそれぞれに対する全体ストリーム個数をの和を表す。
【００２６】
＜数式１＞において、Ｏｆｆｓｅｔは、ＡＭＳの送信する信号がデータ信号であるか、あるいは制御信号であるかによってＯｆｆｓｅｔDataとＯｆｆｓｅｔControlに区分される。ここで、ＯｆｆｓｅｔDataはＡＭＳの送信する信号がデータ信号である場合に使用されるＯｆｆｓｅｔを表し、ＯｆｆｓｅｔControlはＡＭＳの送信する信号が制御信号である場合に使用されるＯｆｆｓｅｔを表す。ＯｆｆｓｅｔData及びＯｆｆｓｅｔControlは、メッセージベースのシグナリングを用いてアップデートすることができる。ＡＭＳに現在格納されているＯｆｆｓｅｔがＯｆｆｓｅｔData_c及びＯｆｆｓｅｔControl_cであると仮定すれば、ＡＢＳがメッセージを通じて新たなＯｆｆｓｅｔData及びＯｆｆｓｅｔControl、すなわちＯｆｆｓｅｔData_new及びＯｆｆｓｅｔControl_newを送信する場合に、ＡＭＳは、ＯｆｆｓｅｔData及びＯｆｆｓｅｔControlをＯｆｆｓｅｔData_c及びＯｆｆｓｅｔControl_cからＯｆｆｓｅｔData_new及びＯｆｆｓｅｔControl_newにアップデートする。
【００２７】
ＡＭＳがＵＬ送信電力を直接調整するためにＯｆｆｓｅｔをアップデートすると仮定すれば、Ｏｆｆｓｅｔは、ＡＭＳによって調整される調整値を表す ＯｆｆｓｅｔＭＳを追加させてＯｆｆｓｅｔ’＋ＯｆｆｓｅｔＭＳとして含まれることができる。この場合、＜数式１＞のＵＬ送信電力制御方式は、下記の＜数式３＞のように示される。ＡＭＳは、例えば、初期レンジング(Initial Ranging)プロセス、周期的レンジングプロセス、及び帯域幅(ＢＷ)要求(ＲＥＱ)プリアンブルコード送信プロセスを遂行する場合にＯｆｆｓｅｔを調整することができる。ここでは、ＡＭＳがＯｆｆｓｅｔを調整する方式に対する詳細な説明は省略する。
P[dBm]＝L＋SINRTarget＋NI＋Offset’＋OffsetMS          ＜数式３＞
【００２８】
＜数式１＞のＬ、＜数式２＞のＳＩＲＤＬ、＜数式３＞のＯｆｆｓｅｔＭＳに関して、ＡＢＳは、ＡＭＳによって報告される前には認識できない。したがって、本発明の実施形態によれば、ＡＭＳは、Ｌ，ＳＩＲＤＬ、及びＯｆｆｓｅｔＭＳをＡＢＳに送信可能にする。しかしながら、すべてのＡＭＳがＬ、ＳＩＲＤＬ、及びＯｆｆｓｅｔＭＳを常にＡＢＳに報告する場合には、シグナリングオーバーヘッドが増加する。したがって、ＡＭＳは、報告条件を満足する場合のみにＬ、ＳＩＲＤＬ、及びＯｆｆｓｅｔＭＳをＡＢＳに報告するように設定される。この報告条件は、一例として所定の設定時間が経過した場合にＡＭＳが報告するようにする周期的条件と、ＡＭＳが最後にＵＬ送信電力状態を報告する場合のパラメータＬ、ＳＩＲＤＬ、及びＯｆｆｓｅｔＭＳのうち少なくとも一つが所定のしきい値以上になると、報告するようにするイベント駆動条件を含むことができる。本発明の実施形態では、上記パラメータの少なくとも一つがイベント駆動条件で所定しきい値以上になると仮定して説明したが、所定のしきい値未満である場合にも適用可能であることは、当該技術分野では公知のものである。
【００２９】
周期的条件とイベント駆動条件の各々について説明すれば、下記のようである。
【００３０】
まず、周期的条件は＜数式４＞のように定義され、イベント駆動条件は＜数式５＞のように定義される。
n-n_last≧txPowerReportPeriodicalInterval              ＜数式４＞
|M(ｎ_last)-M(n)|≧txPowerReportThreshold
および
n-n_last≧txPowerReportMinimumInterval                ＜数式５＞
【００３１】
＜数式４＞及び＜数式５＞において、ｎはＡＭＳの現在時点のフレームインデックスを表し、ｎ_ｌａｓｔはＡＭＳが最後にＵＬ送信電力状態を報告した時点のフレームインデックスを示す。
【００３２】
＜数式５＞のＭ(ｎ)は、フレームインデックスｎのパラメータを入力パラメータとして定義する関数を表し、これは下記の＜数式６＞のように示す。
M(n)＝L＋SINRTarget(n)＋OffsetMS(n)                ＜数式６＞
【００３３】
＜数式６＞に示すように、Ｍ(n）はＡＭＳが測定又は報告したパラメータを用いて示される。
【００３４】
＜数式５＞において、txPowerReportThresholdは、例えば、４ビット符号なし整数(unsigned integer)で実現され、０.５[dB]の単位送信電力であると仮定する。このtxPowerReportThresholdは、その値が‘１１１１’である場合は‘無限(infinite)’を意味する。＜数式４＞のtxPowerReportPeriodicalIntervalと＜数式５＞のtxPowerReportMinimumIntervalの各々は、一例として４ビット符号なし整数で実現され、txPowerReportPeriodicalInterval及びtxPowerReportMinimumIntervalは、その値が‘１１１１’である場合には‘無限’を味する。このtxPowerReportThreshold、txPowerReportPeriodicalInterval、及びtxPowerReportMinimumIntervalは、ＡＢＳからＡＭＳに送信される。
【００３５】
その結果、＜数式４＞は、ＡＭＳが以前にＵＬ送信電力状態を報告した時点から所定の設定時間(すなわち、txPowerReportPeriodicalInterval)が経過した後にＵＬ送信電力状態を報告する周期的条件のＵＬ送信電力状態報告方式を示し、＜数式５＞は、ＡＭＳが最後にＵＬ送信電力状態を報告した時点でのＭ(ｎ)と現在時点でのＭ(ｎ)との差が所定のしきい値、すなわちtxPowerReportThreshold以上である場合、ＵＬ送信電力状態を報告するイベント駆動条件のＵＬ送信電力状態報告方式を示す。しかしながら、イベント駆動条件のＵＬ送信電力状態報告方式において、ＡＭＳが最後にＵＬ送信電力状態を報告した時点でのＭ(ｎ)と現在時点でのＭ(ｎ)との差がしきい値以上であっても、ＡＭＳが最後にＵＬ送信電力状態を報告した時点と現在ＵＬ送信電力状態を報告しようとする時点との差が所定の設定時間、すなわちtxPowerReportMinimumInterval以上でなければならない。
【００３６】
上記したように、ＡＭＳがＡＢＳに報告すべきＵＬ送信電力状態に対するパラメータは、＜数式６＞に示すように、Ｌ、ＳＩＮＲTarget(ｎ）、及びＯｆｆｓｅｔＭＳ(ｎ)を含み、ＡＭＳはＯｆｆｓｅｔＭＳ(ｎ)をそのままＡＢＳに報告し、ＬとＳＩＮＲTarget(ｎ）は次のように変更して報告する。ＡＭＳによって測定された経路損失であるＬは、その値の範囲が非常に大きいため、シグナリングオーバーヘッドが大きくなる。その値の範囲を縮小させるために、ＡＭＳは、Ｌの代わりにＬと反対符号を有するＮＩとの和を報告する。ＡＭＳは、Ｌのみを報告することができる。ＳＩＮＲTargetは、ＡＢＳが受信する受信信号に対するターゲットＳＩＮＲである。制御チャンネルに対して、ＡＢＳが直接ＳＩＮＲTargetを設定するので、ＡＭＳは、ＡＢＳにＳＩＮＲTargetを報告する必要がなく、データチャンネルに対しては、ＳＩＮＲTargetの代わりにＡＭＳによって測定されたＳＩＲDLを報告する。
【００３７】
報告条件を満足してＡＭＳがＵＬ送信電力状態を報告するために、一例として、本発明の一実施形態によるＵＬ送信電力状態報告ヘッダー(又は、ＵＬ電力状態報告ヘッダー)を使用することができる。ＵＬ送信電力状態報告ヘッダーのフォーマットは、下記の＜表１＞に示すようである。
【００３８】
【表１】
2012023729.tif 000004
【００３９】
表１において、‘ＦＩＤ’フィールドはフロー識別子を表し、ＵＬ送信電力状態報告ヘッダーは媒体接続制御(Medium Access Control：ＭＡＣ)シグナリングヘッダーであるので、例えば、その値は‘０００１’に設定される。‘Ｔｙｐｅ’フィールドは、ＭＡＣシグナリングヘッダーのタイプを表し、例えば、その値が‘００１０１’である場合、該当ＭＡＣシグナリングヘッダーがＵＬ送信電力状態報告ヘッダーであることを示す。‘Ｌｅｎｇｔｈ’フィールドは、ＵＬ送信電力状態報告ヘッダーの長さを表し、‘ULPC Parameters Updating Indicator’フィールドはアドバンストエアインターフェースシステム構成ディスクリプタ(Advanced Air Interface System Configuration Descriptor：以下、“ＡＡＩ_ＳＣＤ”と称する)メッセージに含まれたＵＬ送信電力制御パラメータがアップデートされたか否かを示す。‘ULPC Parameters Updating Indicator’フィールドは、例えば、１ビットで実現可能である。‘ULPC Parameters Updating Indicator’フィールドは、一例として、その値が‘０’である場合、ＡＡＩ_ＳＣＤメッセージに含まれているＵＬ送信電力制御パラメータがアップデートされないことを表し、その値が‘１’であると、ＡＡＩ_ＳＣＤメッセージに含まれているＵＬ送信電力制御パラメータが新たに構成され、あるいは変更されたことを示す。
【００４０】
‘Configuration Change Count’フィールドは、ＡＭＳが最後に受信したＡＡＩ_ＳＣＤメッセージに含まれた‘Configuration Change Count’フィールドのフィールド値と同一の値に設定される。この‘Configuration Change Count’フィールドは、‘ULPC Parameters Updating Indicator’フィールドのフィールド値が‘１’である場合のみに有効である。このＵＬ送信電力状態報告ヘッダーが‘Configuration Change Count’フィールドを含むことによって、ＡＢＳは、‘Configuration Change Count’フィールドに含まれている‘Configuration Change Count’値に基づき、ＡＭＳがそのＵＬ送信電力を制御することによってＡＡＩ_ＳＣＤメッセージのバージョンを決定することができる。
【００４１】
‘txPowerPSDBase’フィールドは、ＬとＮＩとの和、又はＬを表す。ここで、ＡＭＳがＬとＮＩとの和を報告することに決定される場合には、‘txPowerPSDBase’フィールドのフィールド値はＬとＮＩとの和を表し、ＡＭＳがＬを報告することに決定される場合には、‘txPowerPSDBase’フィールドのフィールド値はＬを表す。‘txSIRDownlink’はＳＩＲＤＬの値を表す。
【００４２】
図１を参照して、本発明の実施形態によるＩＥＥＥ８０２.１６ｍ通信システムでＡＢＳによってＵＬ送信電力状態に関する報告を受信するプロセスについて説明する。
【００４３】
図１は、本発明の実施形態によるＩＥＥＥ８０２.１６ｍ通信システムでＡＢＳによってＵＬ送信電力状態に関する報告を受信するプロセスを示すフローチャートである。
【００４４】
図１を参照すると、ステップ１１１で、ＡＢＳは、ＵＬ送信電力制御方式に使用されるパラメータをブロードキャストする。ＡＢＳは、ステップ１１３で、各々のＡＭＳにＵＬ送信電力状態報告に必要なパラメータ、すなわちtxPowerReportThreshold、txPowerReportMinimumInterval、及びtxPowerReportPeriodicalIntervalをユニキャスト(unicast)する。ステップ１１５で、ＡＢＳは、ＡＭＳからＵＬ送信電力状態報告ヘッダーを受信すると、ステップ１１７で、受信したＵＬ送信電力状態報告ヘッダーに含まれているパラメータによって該当ＡＭＳに対するＯｆｆｓｅｔ’とＯｆｆｓｅｔＭＳを調整し、この調整されたＯｆｆｓｅｔ’とＯｆｆｓｅｔＭＳをＡＭＳに送信する。
【００４５】
図１に示してはいないが、ＡＢＳは、ＡＭＳから受信したＵＬ送信電力状態報告ヘッダーに含まれているパラメータに基づいてＵＬ送信電力制御方式に必要なパラメータを変更することができる。
【００４６】
図２を参照して、本発明の実施形態によるＩＥＥＥ８０２.１６ｍ通信システムでＡＭＳによってＵＬ送信電力状態を報告するプロセスについて説明する。
【００４７】
図２は、本発明の実施形態によるＩＥＥＥ８０２.１６ｍ通信システムにおけるＡＭＳによってＵＬ送信電力状態を報告するプロセスを示すフローチャートである。
【００４８】
図２を参照すると、ＡＭＳは、ステップ２１１で、ＡＢＳがブロードキャストするＵＬ送信電力制御方式に使用されるパラメータ、及びＵＬ送信電力状態報告方式に使用されるパラメータを受信する。ステップ２１３で、ＡＭＳは、受信したパラメータのうち、一例としてＯｆｆｓｅｔをアップデートする。ステップ２１５で、ＡＭＳは、ＵＬ送信電力制御方式に必要なパラメータを測定及びアップデートする。ステップ２１７で、ＡＭＳは、報告条件を満足するかを確認する。報告条件を満足すると、ＡＭＳは、ステップ２１９で、アップデートされたパラメータを示すＵＬ送信電力状態報告ヘッダーをＡＢＳに送信する。
【００４９】
次に、図３を参照して、本発明の一実施形態によるＩＥＥＥ８０２.１６ｍ通信システムにおけるＡＢＳの内部構成について説明する。
【００５０】
図３は、本発明の実施形態によるＩＥＥＥ８０２.１６ｍ通信システムにおけるＡＢＳの内部構成を示す。
【００５１】
図３を参照すると、ＡＢＳは、受信器３１１、制御器３１３、送信器３１５、及びメモリ３１７を含む。また、明確にするために図示してはいないが、ＡＢＳは、追加の構成要素を含むこともできる。
【００５２】
制御器３１３は、ＡＢＳの全般的な動作を制御する。すなわち、制御器３１３は、ＵＬ送信電力制御方式とＵＬ送信電力状態報告方式に従ってＡＢＳの全般的な動作を制御するが、これに関する詳細な説明は上記に説明したので、ここではその説明を省略する。
【００５３】
上述したように、制御器３１３は、ＵＬ送信電力制御方式を使用してＵＬ送信電力を制御するための多様なパラメータ、及びＵＬ送信電力状態報告方式を使用するための多様なパラメータを送信するために送信器３１５を制御する。
【００５４】
上記したように、受信器３１１は、ＡＭＳからＵＬ送信電力を制御するために必要な様々なパラメータ及びＵＬ送信電力状態報告ヘッダーを受信する。メモリ３１７は、ＡＢＳの動作に必要な各種情報を格納する。
【００５５】
一方、図３には、受信器３１１と、制御器３１３と、送信器３１５と、メモリ３１７とが別途のユニットとして実現されているが、これらは単一ユニットで統合されることもできる。
【００５６】
図４を参照して、本発明の一実施形態によるＩＥＥＥ８０２.１６ｍ通信システムにおけるＡＭＳの内部構成について説明する。
【００５７】
図４は、本発明の実施形態によるＩＥＥＥ８０２.１６ｍ通信システムにおけるＡＭＳの内部構成を示す。
【００５８】
図４を参照すると、ＡＭＳは、受信器４１１と、制御器４１３と、送信器４１５と、メモリ４１７とを含む。別途に図示してはいないが、ＡＭＳは、他の構成要素を含むこともできる。
【００５９】
制御器４１３は、ＡＭＳの全般的な動作を制御する。すなわち、制御器４１３は、ＵＬ送信電力制御方式及びＵＬ送信電力状態報告方式に従ってＡＭＳの全般的な動作を制御するが、それに対する詳細な説明は上記したので、ここでは省略する。
【００６０】
また、制御器４１３は、上記したように、ＵＬ送信電力を制御するために必要な多様なパラメータ及びＵＬ送信電力状態報告ヘッダーを送信器４１５を通じて送信するように制御する。
【００６１】
受信器４１１は、ＡＢＳから、ＵＬ送信電力制御方式とＵＬ送信電力状態報告方式に必要な各種パラメータを受信するが、それに関する詳細な説明は上記したので、ここではその詳細な説明を省略する。メモリ４１７は、ＡＭＳの動作に必要な各種情報を格納する。
【００６２】
一方、図４には、受信器４１１と、制御器４１３と、送信器４１５と、メモリ４１７とが別途のユニットとして実現されているが、これらは単一ユニットで統合実現することができることはもちろんである。
【００６３】
以上、本発明の詳細な説明においては具体的な実施形態に関して説明したが、特許請求の範囲を外れない限り、様々な変更が可能であることは、当該技術分野における通常の知識を持つ者には明らかである。したがって、本発明の範囲は、前述の実施形態に限定されるものではなく、特許請求の範囲の記載及びこれと均等なものに基づいて定められるべきである。
【符号の説明】
【００６４】
２１１  ＡＭＳが、ＡＢＳがブロードキャストするＵＬ送信電力制御方式に使用されるパラメータ、及びＵＬ送信電力状態報告方式に使用されるパラメータを受信するステップ
２１３  ＡＭＳが、受信したパラメータのうち、一例としてＯｆｆｓｅｔをアップデートするステップ
２１５  ＡＭＳが、ＵＬ送信電力制御方式に必要なパラメータを測定及びアップデートするステップ
２１７  ＡＭＳが、報告条件を満足するかを確認するステップ
２１９  ＡＭＳが、アップデートされたパラメータを示すＵＬ送信電力状態報告ヘッダーをＡＢＳに送信するステップ
【図１】
2012023729.tif 000005
【図２】
2012023729.tif 000006
【図３】
2012023729.tif 000007
【図４】
2012023729.tif 000008